(57)【要約】【課題】  排ガスの排出性を向上できるとともに、セルスタックへの悪影響を低減できる燃料電池モジュールおよび燃料電池装置を提供する。【解決手段】  収納容器２内に、所定間隔を置いて配列した複数のセルスタック５と、該複数のセルスタック５の上方に配置された改質器６と、セルスタック５の上方に開口し、セルスタック５からの排ガスをセルスタック５の上方から下方に流す排ガス排出路２３、２９とを収容してなるとともに、排ガス排出路２３、２９が、セルスタック５の配列方向における収納容器の両側の側壁、および１または複数のセルスタック５からなる複数のセルスタック群５ｇの間に設けられており、複数のセルスタック群５ｇの間に設けられた中央側排ガス排出路２９のセルスタック５の側に、熱伝導抑制部材３１が設けられている。【選択図】  図１
2015125810.tif 000002
【特許請求の範囲】
【請求項１】
収納容器内に、所定間隔を置いて配列した複数のセルスタックと、該複数のセルスタックの上方に配置された改質器と、前記セルスタックの上方に開口し、前記セルスタックからの排ガスを前記セルスタックの上方から下方に流す排ガス排出路とを収容してなるとともに、前記排ガス排出路が、前記セルスタックの配列方向における前記収納容器の両側の側壁、および１または複数の前記セルスタックからなる複数のセルスタック群の間に設けられており、前記複数のセルスタック群の間に設けられた中央側排ガス排出路の前記セルスタックの側に、熱伝導抑制部材が設けられていることを特徴とする燃料電池モジュール。
【請求項２】
前記熱伝導抑制部材は、前記セルスタックの下端部に対応する部位には配置されていないことを特徴とする請求項１に記載の燃料電池モジュール。
【請求項３】
前記セルスタックからの排ガスを前記改質器の上方に導出する排ガス流通路を有することを特徴とする請求項１または２に記載の燃料電池モジュール。
【請求項４】
前記改質器が、水を気化する気化部と該気化部で発生した水蒸気を用いて原燃料ガスを改質する改質部とを具備し、前記気化部が、水を供給するための水供給管が接続された気化部往路および前記水蒸気が流れる気化部復路とを具備し、前記改質部が、原燃料ガス供給管により供給された原燃料ガスが改質される改質部往路および改質ガスを導出する改質ガス導出管が接続された改質部復路とを具備するとともに、前記気化部往路と前記気化部復路とが気化部連結路で連結され、前記気化部復路と前記改質部往路とが気化改質部連結路で連結され、前記改質部往路と前記改質部復路とが改質部連結路で連結されていることを特徴とする請求項１乃至３のうちいずれかに記載の燃料電池モジュール。
【請求項５】
請求項１乃至４のうちいずれかに記載の燃料電池モジュールと、該燃料電池モジュールを作動させるための補機とを、外装ケース内に収納してなることを特徴とする燃料電池装置。
【発明の詳細な説明】
【技術分野】
【０００１】
本発明は、複数のセルスタックを具備する燃料電池モジュールおよび燃料電池装置に関する。
【背景技術】
【０００２】
近年、次世代エネルギーとして、種々の燃料電池モジュールが提案されており、このような燃料電池モジュールとしては、収納容器内に、複数の燃料電池セルを電気的に直列に接続してなるセルスタック装置を収納したものが知られている（例えば、特許文献１参照）。
【０００３】
このセルスタック装置は、２個のセルスタックの上方に改質器を配置してなるとともに、該改質器がＵ字状をなしており、水を気化して水蒸気を生成する気化部と、該気化部で発生した水蒸気を用いて原燃料ガスを水蒸気改質する改質部とを具備している。そして、原燃料ガス供給管および水供給管が、改質器の一端である気化部に接続され、気化部で発生した水蒸気と原燃料ガスとが混合されて改質部に供給され、この改質部にて原燃料ガスが改質されるように構成されている。
【０００４】
そして、燃料電池セルからの排ガスは、収納容器の側壁に設けられた排ガス排出路を介して排出されるように構成されている。
【先行技術文献】
【特許文献】
【０００５】
【特許文献１】特開２００７−２０７４４６号公報
【発明の概要】
【発明が解決しようとする課題】
【０００６】
しかしながら、特許文献１では、収納容器の側壁に排ガス排出路が設けられていたため、セルスタック数が増加すると、収納容器の中央部に配置されたセルスタックから収納容器の側壁に設けられた排ガス排出路までの距離が長くなり、排ガスの排出性が低下するおそれがあった。これに起因して、セルスタックから排出される排ガス（余剰の燃料ガス）の燃焼状態が不安定になり、セルスタックの温度が低下する等、セルスタックに悪影響を与えるおそれがあった。
【０００７】
本発明は、排ガスの排出性を向上できるとともに、セルスタックへの悪影響を低減できる燃料電池モジュールおよび燃料電池装置を提供することを目的とする。
【課題を解決するための手段】
【０００８】
本発明の燃料電池モジュールは、収納容器内に、所定間隔を置いて配列した複数のセルスタックと、該複数のセルスタックの上方に配置された改質器と、前記セルスタックの上方に開口し、前記セルスタックからの排ガスを前記セルスタックの上方から下方に流す排ガス排出路とを収容してなるとともに、前記排ガス排出路が、前記セルスタックの配列方向における前記収納容器の両側の側壁、および１または複数の前記セルスタックからなる複数のセルスタック群の間に設けられており、前記複数のセルスタック群の間に設けられた中央側排ガス排出路の前記セルスタックの側に、熱伝導抑制部材が設けられていることを特徴とする。
【発明の効果】
【０００９】
本発明の燃料電池モジュールでは、セルスタック数が多くても、セルスタックの配列方向における収納容器の両側の側壁、複数のセルスタック群の間に設けられた排ガス排出路により排ガスを十分に排出することができるとともに、中央側排ガス排出路のセルスタックの側には熱伝導抑制部材が設けられているため、セルスタックへの悪影響を低減できる。
【図面の簡単な説明】
【００１０】
【図１】燃料電池モジュールの一形態を示す縦断面図である。
【図２】（ａ）は４個のセルスタックを有するセルスタック装置を示す平面図、（ｂ）はマニホールドに２個のセルスタックを設けた状態を示す斜視図である。
【図３】改質器を示すもので、（ａ）は斜視図、（ｂ）は平面図である。
【図４】セルスタック装置を示す側面図である。
【図５】原燃料ガス供給管およびその近傍の改質器を示すもので、（ａ）は横断面図、（ｂ）は縦断面図である。
【図６】（ａ）は原燃料ガス供給管が気化改質部連結路内に突出していない形態の改質器を示す平面図、（ｂ）は気化部復路内の仕切板を、セルスタックの燃料電池セルの配列方向中央部よりも、原燃料ガス供給管側に位置させた形態の改質器を示す平面図である。
【図７】気化部往路と気化部復路との端面同士、および改質部往路と改質部復路との端面同士を補強板で連結した形態の改質器を示す斜視図である。
【図８】セルスタックの下端部に位置する中央側排ガス排出路には、熱伝導抑制部材が配置されていない燃料電池モジュールの縦断面図である。
【図９】３個の中央側排ガス排出路が設けられた燃料電池モジュールの縦断面図である。
【図１０】燃料電池装置を示す斜視図である。
【発明を実施するための形態】
【００１１】
図１は、燃料電池モジュール（以下、モジュールという場合がある）の一形態を示す縦断面図であり、図２はセルスタック装置を示す図である。なお、異なる図中の同一の構成要素については、同一の符号を付与するものとする。
【００１２】
モジュール１は、直方体状の収納容器２の内部に、燃料ガス流路を有する燃料電池セル３を立設させた状態で一列に配列し、隣接する燃料電池セル３間に集電部材（図示せず）を介して電気的に直列に接続してなる４個のセルスタック５を収納して構成されている。
【００１３】
燃料電池セル３の下端部はガラスシール材等の絶縁性接合材（図示せず）でマニホールド４に固定されている。１個のマニホールド４には、２個のセルスタック５が固定されており、４個のセルスタック５のそれぞれの両端には、図２（ａ）に示すように、引出部５ａが接続され、一方側の引出部５ａ同士は連結部材５ｂで連結され、４個のセルスタック５が電気的に直列に接続されている。
【００１４】
また、図１、２においては、燃料電池セル３の内部に燃料電池セル３の長さ方向ｙに設けられた燃料ガス流路を燃料ガスが流れる中空平板型で、支持基板の表面に、燃料側電極、固体電解質及び酸素側電極を順に設けてなる固体酸化物形の燃料電池セル３を例示している。
【００１５】
また、燃料電池セル３にて使用する改質ガスを得るために、図３に示すように、天然ガスや灯油等の燃料を改質して燃料ガス（改質ガス）を生成するためのＷ字状（ミアンダ形状）の改質器６が４個のセルスタック５の上方に配置されている。そして、図４に示すように、改質器６で生成された燃料ガス（改質ガス）は、改質ガス導出管７により２個のマ
ニホールド４に供給され、マニホールド４を介して燃料電池セル３の内部に設けられた燃料ガス流路に供給される。これにより、セルスタック装置８が構成されている。すなわち、セルスタック装置８は、図１に示したように、マニホールド４と、マニホールド４に固定されたセルスタック５と、４個のセルスタック５の上方に配置された１個の改質器６とを具備して構成されている。
【００１６】
燃料電池セル３の燃料ガス流路に供給され、発電に使用されなかった余剰の燃料ガス（排ガス）は、燃料電池セル３の上方に放出される。余剰の燃料ガスは、燃料電池セル３の外部に供給された酸素含有ガス（空気）と反応させ燃焼させることができる。
【００１７】
改質器６は、図３に示したように、水を気化して水蒸気を生成する気化部６ａと該気化部６ａで発生した水蒸気を用いて原燃料ガスを水蒸気改質する改質部６ｂとを具備している。
【００１８】
気化部６ａは、水を供給するための水供給管１３が接続された気化部往路６ａ１と水蒸気が流れる気化部復路６ａ２とを具備し、原燃料ガス供給管１５により供給された原燃料ガスが改質される改質部往路６ｂ１と改質ガスを導出するための改質ガス導出管７が接続された改質部復路６ｂ２とを具備している。水供給管１３、原燃料ガス供給管１５および改質ガス導出管７は、改質器６の一方側に接続され、同じ方向に引き出されている。
【００１９】
気化部往路６ａ１、気化部復路６ａ２、改質部往路６ｂ１および改質部復路６ｂ２の下方には、４個のセルスタック５がそれぞれ配置されており、セルスタック５を構成する燃料電池セル３の配列方向ｘに沿って、気化部往路６ａ１、気化部復路６ａ２、改質部往路６ｂ１および改質部復路６ｂ２が延設されている。図３（ｂ）にセルスタック５を一点鎖線で示す。
【００２０】
気化部往路６ａ１と気化部復路６ａ２とが気化部連結路６ｃ１で連結され、気化部復路６ａ２と改質部往路６ｂ１とが気化改質部連結路６ｃ２で連結され、改質部往路６ｂ１と改質部復路６ｂ２とが改質部連結路６ｃ３で連結されており、原燃料ガス供給管１５が気化改質部連結路６ｃ２に接続されている。
【００２１】
このように、原燃料ガス供給管１５が、水供給管１３が接続された気化部往路６ａ１よりも下流側の気化改質部連結路６ｃ２に接続されているため、原燃料ガスが低温であったとしても、原燃料ガスが追加混合される時には、供給された水が殆ど気化しており、改質器６の一部（気化部往路６ａ１）における低温化を抑制できる。これにより改質器６の気化部往路６ａ１下方におけるセルスタック５の低温化を抑制して発電性能が低下することを抑制でき、セルスタック装置８全体としての発電性能を向上できる。
【００２２】
改質器６は燃料電池セル３の反応熱および燃料電池セル３からの余剰の燃料ガスの燃焼熱で加熱されるため、気化部往路６ａ１に供給された水は水蒸気となり、気化部連結路６ｃ１、気化部復路６ａ２、気化改質部連結路６ｃ２、改質部往路６ｂ１を順に流れ、また、気化改質部連結路６ｃ２では、原燃料ガス供給管１５から原燃料ガスが供給され、気化改質部連結路６ｃ２で水蒸気と混合され、改質部往路６ｂ１、改質部連結路６ｃ３、改質部復路６ｂ２を流れる間に改質され、水素を含む改質ガス（燃料ガス）が生成され、改質ガス導出管７から各マニホールド４に導出される。
【００２３】
気化部往路６ａ１、気化部復路６ａ２、改質部往路６ｂ１、改質部復路６ｂ２、気化部連結路６ｃ１、気化改質部連結路６ｃ２、改質部復路６ｃ３は、横断面が矩形状の管体から構成されている。気化部往路６ａ１を構成する管体と気化部復路６ａ２を構成する管体との間、および改質部往路６ｂ１を構成する管体と改質部復路６ｂ２を構成する管体との
間には、空間が形成されており、この空間が、排ガスを改質器６の上方に流すための排ガス流通路１８とされている。この排ガス流通路１８には、図１に示したように、酸素含有ガス供給板１２が挿通し、その先端がセルスタック５間の下部に位置している。排ガスは、酸素含有ガス供給板１２周囲の排ガス流通路１８を流れる。
【００２４】
一方、気化部復路６ａ２を構成する管体と改質部往路６ｂ１を構成する管体との間にも、空間が形成されており、排ガス流通路１８とされている。この排ガス流通路１８には、後述する中央側排ガス排出路２９が挿通し、その上端は、セルスタック５の上方に開口し、言い換えれば、改質器６の上方に位置する開口部２９ａを有している。なお、気化部復路６ａ２を構成する管体と改質部往路６ｂ１を構成する管体との間が、連結板で接続され塞がれており、この連結板に排ガス流通孔を形成し、この排ガス流通孔を、後述する中央側排ガス排出路２９が挿通しても良い。
【００２５】
気化部往路６ａ１および気化部復路６ａ２内の、燃料電池セル３の配列方向ｘ中央部に仕切板６ａ１１、６ａ２１がそれぞれ設けられ、これらの仕切板６ａ１１、６ａ２１間が気化室とされており、水供給管１３の先端部（供給部）は、図３（ｂ）に示すように、仕切板６ａ１１の上流側に位置し、気化室の手前に水を供給する。気化室内には、気化を促進するためセラミックボールが収納されており、仕切板６ａ１１、６ａ２１は、水蒸気は通過するが、セラミックボールは通過しないように形成されている。水供給管１３は、セルスタック５の燃料電池セル３の配列方向ｘ中央部の上方における気化室に水を供給するように構成されている。燃料電池セル３の配列方向ｘ中央部は温度が高くなり易いため、気化を促進できる。
【００２６】
さらに、改質部往路６ｂ１および改質部復路６ｂ２にも、それぞれ仕切板６ｂ１１、６ｂ２１が配置され、仕切板６ｂ１１、６ｂ２１間に位置する改質部往路６ｂ１、改質部連結路６ｃ３、改質部復路６ｂ２が改質室とされ、この改質室には改質触媒が収納されている。仕切板６ｂ１１、６ｂ２１は、水蒸気、原燃料ガス、改質ガス等のガスは通過できるが、改質触媒は通過できないように構成されている。
【００２７】
また、気化改質部連結路６ｃ２に接続した原燃料ガス供給管１５は、気化改質部連結路６ｃ２を構成する管体の壁を貫通し、先端部が気化改質部連結路６ｃ２内に突出した突出部１５ａを有しており、この突出部１５ａは、図５に示すように、上下に貫通孔１５ａ１が複数所定間隔をおいて形成されている。水蒸気は、貫通孔１５ａ１が形成された原燃料ガス供給管１５の突出部１５ａの外面を滑るように流れ、この際に、貫通孔１５ａ１から出てきた原燃料ガスと混合するように構成されている。突出部１５ａの先端は開口していても良く、閉塞していても良いが、開口している場合には、開口部が管壁近傍に位置していることが望ましい。
【００２８】
すなわち、原燃料ガス供給管１５は、気化改質部連結路６ｃ２の流路内に、原燃料ガス供給管１５内の原燃料ガスの流れ方向が水蒸気の流れ方向と交差する突出部１５ａを有している。それぞれの貫通孔１５ａ１から原燃料ガスが流れ出し、水蒸気との混合を促進できる。
【００２９】
さらに、改質器６から導出された燃料ガスは、図４に示すように、改質ガス導出管７により、分配器１９を介して２つのマニホールド４に供給される。すなわち、改質ガス導出管７は、改質器６から分配器１９までのＵ字状の第１改質ガス導出管７ａと、分配器１９から下方の２つのマニホールド４にそれぞれ延びる第２改質ガス導出管７ｂとを具備している。第１改質ガス導出管７ａ、第２改質ガス導出管７ｂは、改質ガスをマニホールド４に均等に供給すべく、同じ断面積で同じ長さ（圧力損失が同じ）とされている。
【００３０】
燃料電池モジュール１は、図１に示したように、収納容器２の内部にセルスタック装置８を収納してなるもので、セルスタック５の配列方向（燃料電池セル３の配列方向ｘと直交する方向）の両側における収納容器２の側壁には、外側から酸素含有ガス導入路２１、端部側排ガス排出路２３が形成されている。酸素含有ガス導入路２１は、収納容器２の底部から側部を介して上部まで形成され、酸素含有ガス供給板１２に酸素含有ガスを供給するように構成されている。
【００３１】
一方、端部側排ガス排出路２３は、収納容器２の側部から底部まで形成され、燃料電池セル３の上端からの排ガスが、気化部往路６ａ１を構成する管体と気化部復路６ａ２を構成する管体との間、および改質部往路６ｂ１を構成する管体と改質部復路６ｂ２を構成する管体との間の排ガス流通路１８を通過し、改質器６の上方に位置する排ガスが、収納容器２の側部から底部の端部側排ガス排出路２３を介して排出口から排出されるように構成されている。すなわち、端部側排ガス排出路２３は、セルスタック５の上方に開口し、言い換えれば改質器６の上方に開口部を有している。酸素含有ガスが酸素含有ガス導入路２１を流れる間に、端部側排ガス排出路２３を流れる排ガスにより加熱される。
【００３２】
また、気化部復路６ａ１と改質部往路６ｂ１との間の排ガス流通路１８を、中央側排ガス排出路２９が挿通し、その下端が端部側排ガス排出路２３の下流側に接続されている。
【００３３】
琲ガス排出路２３、２９と、２個のセルスタック５からなるセルスタック群５ｇとが交互に配置されており、セルスタック群５ｇの一方側には端部側排ガス排出路２３が、他方側には中央側排ガス排出路２９が配置されている。
【００３４】
なお、琲ガス排出路２３、２９は、改質器６の上方に開口する場合について説明したが、改質器６と同一高さに開口していても良い。同一高さに開口するとは、改質器の下面から上面までの間に開口する場合をいう。
【００３５】
排ガス排出路２３、２９は、中空平板状の管体からなり、セルスタック５の側に熱伝導抑制部材３１が設けられている。この熱伝導抑制部材３１は断熱材からなり、例えば、アルミナ−シリカ系等の一般的な断熱材を使用できる。熱伝導抑制部材３１は、琲ガス排出路２３、２９を構成する管体の側面の、マニホールド４、セルスタック５、改質器６に対向する部分全体に連続して形成されている。すなわち、熱伝導抑制部材３１により、琲ガス排出路２３、２９を流れる排ガスの熱が、セルスタック５に影響しないようにされている。
【００３６】
熱伝導抑制部材３１は、中央側排ガス排出路２９のセルスタック５側の面に形成されていれば良く、セルスタック５側の面と直交する面に形成する必要はない。セルスタック５間に、該セルスタック５に沿って配置された板状管体の内部が、中央側排ガス排出路２９を構成している。
【００３７】
また、熱伝導抑制部材３１は、酸素含有ガス供給板１２からセルスタック５に酸素含有ガスを供給し易くするため、セルスタック５に対向する部分が、他の部分よりもセルスタック５側に突出した突出部３１ａを有している。なお、中央側ガス排出路２９に熱伝導抑制部材３１を設ければ良く、必ずしも端部側ガス排出路２３に設ける必要はない。
【００３８】
以上のようなセルスタック装置では、セルスタック数が多くても、排ガス排出路２３、２９により、排ガスを十分に排出することができるとともに、気化部往路６ａ１、気化部復路６ａ２、改質部往路６ｂ１、気化部復路６ａ２の上下面および側面を排ガスが沿って流れ、改質器６を排ガスで効率的に加熱することができる。
【００３９】
また、排ガス排出路２３、２９を構成する板状管体の、セルスタック５の側に熱伝導抑制部材３１が設けられているため、琲ガス排出路２３、２９を流れる排ガス温度が、セルスタック５に影響を及ぼすことを低減できる。例えば、排ガス温度が低い場合にセルスタック５温度が低下することがなく、また、排ガス温度が高い場合に、セルスタック５の高温部分をさらに加熱することがない。
【００４０】
なお、上記形態では、原燃料ガス供給管１５を気化改質部連結路６ｃ２に接続したが、これに限定されるものではなく、例えば、原燃料ガス供給管１５を気化部復路６ａ２の下流側に接続しても良く、さらには、改質部往路６ｂ１の上流側端に接続しても良い。原燃料ガス供給管１５による原燃料ガスの供給位置は、水供給管１３の水供給位置と同じでも良い。
【００４１】
また、上記形態では、原燃料ガス供給管１５が、気化改質部連結路６ｃ２内に突出した突出部１５ａを有する場合について説明したが、図６（ａ）に示すように、突出部を有しない場合であっても、原燃料ガス供給管１５により原燃料ガスを改質器６の気化改質部連結路６ｃ２内に供給でき、水蒸気と混合できる。
【００４２】
さらに、上記形態では、気化部復路６ａ２内の仕切板６ａ２１は、セルスタック５の燃料電池セル３の配列方向ｘ中央部に位置させたが、図６（ｂ）に示すように、セルスタック５の燃料電池セル３の配列方向ｘ中央部よりも、原燃料ガス供給管１５側に位置することが、セルスタック５の燃料電池セル３の配列方向ｘ中央部の熱を水の気化に有効利用できるため望ましい。
【００４３】
また、改質器６は、図７に示すように、気化部往路６ａ１と気化部復路６ａ２との端面同士、改質部往路６ｂ１と改質部復路６ｂ２との端面同士、および気化部復路６ａ２と改質部往路６ｂ１との端面同士を補強板２５で連結することが望ましい。これにより、改質器６を補強できる。
【００４４】
さらに、上記図１の形態では、熱伝導抑制部材３１を、琲ガス排出路２３、２９を構成する板状管体の側面の、マニホールド４、セルスタック５、改質器６に対向する部分全体に形成した形態について説明したが、図８に示すように、琲ガス排出路２３、２９のセルスタック５の下端部に対応する部位には、熱伝導抑制部材３１が配置されていない形態であっても良い。言い換えれば、琲ガス排出路２３、２９を構成する板状管体の側面のうち、セルスタック５の下端部に位置する部分が露出している。
【００４５】
このような形態では、一般に熱は上方に移動し、また、燃焼ガスもセルスタック５の上方で発生するため、セルスタック５の下端部は上端部に比較して低温となる傾向にあるが、図８の形態では、ガス排出路２３、２９を流れる排ガスの熱が耐熱性金属製の管体を伝導し、セルスタック５の下端部を加熱でき、セルスタック５の発電性能を向上できる。
【００４６】
また、上記図１の形態では、４個のセルスタックを有する燃料電池モジュールについて説明したが、図９に示すように、１６個のセルスタックを有する燃料電池モジュールであっても良い。この場合、図３で示したような４個の改質器６を有している。
【００４７】
この場合に、中央側ガス排出路２９の孔径（流路断面積）を変更することで排気圧損を制御することができる。例えば、両側の中央側ガス排出路２９の孔径（流路断面積）を中央の中央側ガス排出路２９の孔径よりも大きくすることで、排気圧損が同じになるように制御することもできる。
【００４８】
図１０は、外装ケース内に燃料電池モジュール１と、燃料電池モジュール１を動作させ
るための補機とを収納してなる燃料電池装置の一例を示す分解斜視図である。なお、図１０においては一部構成を省略して示している。
【００４９】
図１０に示す燃料電池装置は、支柱５４と外装板５５とから構成される外装ケース内を仕切板５６により上下に区画し、その上方側を上述した燃料電池モジュール１を収納するモジュール収納室５７とし、下方側を燃料電池モジュール１を動作させるための補機類を収納する補機収納室５８として構成されている。なお、補機収納室５８に収納する補機類は省略して示している。
【００５０】
また、仕切板５６には、補機収納室５８の空気をモジュール収納室５７側に流すための空気流通口５９が設けられており、モジュール収納室５７を構成する外装板５５の一部に、モジュール収納室５７内の空気を排気するための排気口６０が設けられている。
【００５１】
このような燃料電池装置では、上述したようなモジュール１を外装ケース内に収納することにより、発電効率を向上した燃料電池装置とすることができる。
【００５２】
以上、本発明について詳細に説明したが、本発明は上述の実施の形態に限定されるものではなく、本発明の要旨を逸脱しない範囲内において、種々の変更、改良等が可能である。
【００５３】
例えば、燃料電池セル３の形状としては、平板型、円筒型、中空平板型等のいずれであっても良い。燃料電池セル３（セルスタック５）の発電を効率よく行なう上で、中空平板型の燃料電池セルとすることが好ましい。
【００５４】
また、上記形態では、４個のセルスタック５の上方に１個の改質器６を配置した形態について説明したが、例えば、２個または３個のセルスタックの上方に１個の改質器を配置しても良く、さらに、５個以上のセルスタックの上方に１個の改質器６を配置しても良い。
【００５５】
さらに、１個のマニホールド４に２個のセルスタック５を配置した形態について説明したが、１個のマニホールドに１個のセルスタックを配置しても良く、また、１個のマニホールドに３個以上のセルスタックを配置しても良い。
【００５６】
また、図１の形態では、２個のセルスタック５をセルスタック群５ｇとし、図９の形態では、４個のセルスタック５をセルスタック群５ｇとしたが、１個のセルスタック５をセルスタック群としても良く、また３個、または５個以上のセルスタック５をセルスタック群としても良い。
【００５７】
また、上記形態では、４個のセルスタックを有する場合、１６個のセルスタックを有する場合について説明したが、セルスタックの数は限定されない。
【００５８】
さらに、上記形態では、図３で示したような改質器６を有する燃料電池モジュールについて説明したが、他の構造を有する改質器であっても良い。
【符号の説明】
【００５９】
１：燃料電池モジュール
２：収納容器
３：燃料電池セル
５：セルスタック
５ｇ：セルスタック群
６：改質器
６ａ：気化部
６ａ１：気化部往路
６ａ２：気化部復路
６ｂ：改質部
６ｂ１：改質部往路
６ｂ２：改質部復路
６ｃ１：気化部連結路
６ｃ２：気化改質部連結路
６ｃ３：改質部連結路
７：改質ガス導出管
１２：酸素含有ガス供給板
１３：水供給管
１５：原燃料ガス供給管
１８：排ガス流通路
２３：端部側排ガス排出路
２９：中央側排ガス排出路
２９ａ：開口部
３１：熱伝導抑制部材
【図１】
2015125810.tif 000003
【図２】
2015125810.tif 000004
【図３】
2015125810.tif 000005
【図４】
2015125810.tif 000006
【図５】
2015125810.tif 000007
【図６】
2015125810.tif 000008
【図７】
2015125810.tif 000009
【図８】
2015125810.tif 000010
【図９】
2015125810.tif 000011
【図１０】
2015125810.tif 000012